(57)【要約】      （修正有）【課題】入力した文字等の情報を消去することができる入力装置を提供する。【解決手段】格子状のコア２が四角形シート状のアンダークラッド層１とオーバークラッド層３とで挟持された四角形シート状の光導波路Ｗと、光導波路Ｗのコア２の一端面に接続された発光素子４と、コア２の他端面に接続された受光素子５と、消去モードボタン６とを備える。格子状のコア２の部分に対応するオーバークラッド層３の表面部分を入力領域とし、入力領域における任意の押圧個所を、その押圧による受光素子５での受光強度の減衰により、入力情報として特定し、消去モードボタン６を押した後、入力領域において押圧する個所に対応する入力済み情報を、消去情報として認識して消去する。【選択図】図１
2015135655.tif 000002
【特許請求の範囲】
【請求項１】
格子状に形成された複数の線状のコアをシート状のアンダークラッド層およびオーバークラッド層により挟持したシート状の光導波路と、この光導波路のコアの一端面に接続された発光素子と、上記コアの他端面に接続された受光素子とを備え、上記発光素子で発光された光が、上記光導波路のコアを経て、上記受光素子で受光され、上記光導波路の格子状のコア部分に対応するオーバークラッド層の表面部分を入力領域とし、その入力領域における任意の押圧個所を、その押圧による上記受光素子での受光強度の減衰により、入力情報として特定する入力装置であって、上記入力領域において押圧する個所に対応する入力済み情報を、消去情報として認識させて消去する情報消去手段を備えていることを特徴とする入力装置。
【請求項２】
上記押圧個所の特定が、押圧により上記受光素子での受光強度の減衰率が所定の設定値を超えることによってなされ、上記情報消去手段が、上記設定値を低下させ、それにより、上記押圧の圧力が低くてもその押圧個所を特定できるようにしている請求項１記載の入力装置。
【請求項３】
上記低下させた設定値が、元の設定値の３０〜７０％の範囲内に設定されている請求項２記載の入力装置。
【発明の詳細な説明】
【技術分野】
【０００１】
本発明は、光学的な位置検出手段を備えた入力装置に関するものである。
【背景技術】
【０００２】
従来より、感圧式タッチパネルを備えた入力装置と、この入力装置に接続されたディスプレイとを有する入力システムが提案されている（例えば、特許文献１参照）。このものは、上記入力装置の感圧式タッチパネル上に文字等をペンで入力すると、そのペン先による加圧位置を上記感圧式タッチパネルが検知して上記ディスプレイに出力し、そのディスプレイに上記入力した文字等を表示するようになっている。
【０００３】
一方、押圧位置を光学的に検知する位置センサが提案されている（例えば、特許文献２参照）。このものは、光路となる複数のコアを縦横方向に配置し、それらコアの周縁部をクラッドで覆うことによりシート状に形成し、上記各コアの一端面に発光素子からの光を入射させ、各コア内を透過してきた光を、各コアの他端面で受光素子により検出するようになっている。そして、そのシート状の位置センサの表面の一部を指等で押圧すると、その押圧部分のコアが変形し、その押圧部分のコアからの、上記受光素子での光の検出レベルが低下することから、上記押圧位置を検知できるようになっている。
【先行技術文献】
【特許文献】
【０００４】
【特許文献１】特開２００６−１７２２３０号公報
【特許文献２】特開平８−２３４８９５号公報
【発明の概要】
【発明が解決しようとする課題】
【０００５】
しかしながら、上記特許文献１の入力装置は、入力された文字等の情報を消去する手段を備えていない。そのため、誤記等があった場合、その誤記等を消去することができず、ディスプレイに表示された上記誤記等に重なるよう、二重線や×印等を入力し、それをディスプレイに表示するしかない。二重線や×印等がディスプレイに表示されると、見掛けが悪い。上記特許文献１の入力装置を上記特許文献２の位置センサに代えたとしても、同様である。
【０００６】
本発明は、このような事情に鑑みなされたもので、入力した文字等の情報を消去することができる入力装置の提供をその目的とする。
【課題を解決するための手段】
【０００７】
上記の目的を達成するため、本発明の入力装置は、格子状に形成された複数の線状のコアをシート状のアンダークラッド層およびオーバークラッド層により挟持したシート状の光導波路と、この光導波路のコアの一端面に接続された発光素子と、上記コアの他端面に接続された受光素子とを備え、上記発光素子で発光された光が、上記光導波路のコアを経て、上記受光素子で受光され、上記光導波路の格子状のコア部分に対応するオーバークラッド層の表面部分を入力領域とし、その入力領域における任意の押圧個所を、その押圧による上記受光素子での受光強度の減衰により、入力情報として特定する入力装置であって、上記入力領域において押圧する個所に対応する入力済み情報を、消去情報として認識させて消去する情報消去手段を備えているという構成をとる。
【０００８】
すなわち、本発明の入力装置は、入力領域において、例えば筆記具で文字等を書くと、その筆記具の先端部により、上記入力領域が押圧される。その押圧個所では、光導波路が変形し、その押圧個所のコアの光伝播量が減少する。そのため、受光素子が、その押圧個所のコアから受光強度の減衰を感知し、それにより、上記押圧個所（上記筆記具で書いた文字等）が特定される。そのうえ、本発明の入力装置は、情報消去手段を備えている。その情報消去手段として、例えば、消去モードボタンを設け、その消去モードボタンを押すと、その後に押圧する上記入力領域の個所に対応する入力済み情報を、消去情報として認識して消去するプログラムを組み込んだシステムがあげられる。このような情報消去手段（システム）を用いると、上記入力済みの文字等の少なくとも一部を消去する場合は、上記消去モードボタンを押した後、上記入力領域での入力部分を押圧すると、その押圧個所に対応する入力済み情報が、消去情報として認識され消去される。
【発明の効果】
【０００９】
本発明の入力装置は、入力領域において押圧する個所に対応する入力済み情報を、消去情報として認識させて消去する情報消去手段を備えているため、入力済み情報がある状態で、上記入力領域を押圧すると、上記情報消去手段により、その押圧個所に対応する上記入力済み情報を、消去情報として認識し消去することができる。
【００１０】
特に、上記押圧個所の特定が、押圧により上記受光素子での受光強度の減衰率が所定の設定値を超えることによってなされ、上記情報消去手段が、上記設定値を低下させ、それにより、上記押圧の圧力が低くてもその押圧個所を特定できるようにしている場合には、文字等の入力に一般的に使用される筆記具よりも、その先端部が太い消しゴム等を用い、目的の入力済み情報の部分を適正に消去することができる。すなわち、先端部が太い消しゴム等を用いて上記入力領域を押圧すると、その太さから、同じ荷重で押圧しても、圧力が低くなり、光導波路の変形量が少なくなる。そのため、受光素子での受光強度が、押圧を検知できる程度まで減衰しないおそれがある。しかし、たとえそうなったとしても、上記のように、押圧個所を特定する基準となる減衰率の設定値を低下させることにより、その押圧個所を適正に特定することができ、その押圧個所に対応する入力済み情報を消去することができる。
【００１１】
さらに、上記低下させた設定値が、元の設定値の３０〜７０％の範囲内に設定されている場合には、先端部が太い上記消しゴム等を用いて上記入力領域を押圧する際に、その押圧個所をより適正に特定することができる。
【図面の簡単な説明】
【００１２】
【図１】本発明の入力装置の一実施の形態を模式的に示し、（ａ）はその平面図であり、（ｂ）はその要部拡大断面図である。
【図２】（ａ）は、通常状態の、上記入力装置の受光素子での受光強度を示すグラフであり、（ｂ）は、入力領域を押圧した状態を示すグラフである。
【図３】上記入力装置における入力および消去のフローチャートを示す説明図である。
【図４】（ａ）〜（ｄ）は、上記入力装置を構成する光導波路の製法を模式的に示す説明図である。
【図５】本発明の入力装置の他の実施の形態において、入力領域を押圧した状態の、受光素子での受光強度を示すグラフである。
【図６】上記他の実施の形態の入力装置における入力および消去のフローチャートを示す説明図である。
【図７】上記光導波路の変形例を模式的に示す要部拡大断面図である。
【図８】（ａ）〜（ｆ）は、上記入力装置における格子状のコアの交差形態を模式的に示す拡大平面図である。
【図９】（ａ），（ｂ）は、上記格子状のコアの交差部における光の進路を模式的に示す拡大平面図である。
【発明を実施するための形態】
【００１３】
つぎに、本発明の実施の形態を図面にもとづいて詳しく説明する。
【００１４】
図１（ａ）は、本発明の入力装置の一実施の形態を示す平面図であり、図１（ｂ）は、その中央部の断面を拡大した図である。この実施の形態の入力装置は、格子状のコア２が四角形シート状のアンダークラッド層１とオーバークラッド層３とで挟持された四角形シート状の光導波路Ｗと、上記格子状のコア２を構成する線状のコア２の一端面に接続された発光素子４と、上記線状のコア２の他端面に接続された受光素子５とを備えている。そして、上記発光素子４から発光された光は、上記コア２の中を通り、上記受光素子５で受光されるようになっている。また、格子状のコア２の部分に対応するオーバークラッド層３の表面部分が、入力領域となっている。なお、図１（ａ）では、コア２を鎖線で示しており、鎖線の太さがコア２の太さを示している。また、図１（ａ）では、コア２の数を略して図示している。また、図１（ａ）の矢印は、光の進む方向を示している。
【００１５】
さらに、上記入力装置は、上記発光素子４および受光素子５を搭載した回路基板Ｅを備えている。その回路基板Ｅは、上記発光素子４，受光素子５に加え、上記入力領域に入力した情報を消去する際に押す消去モードボタン６，上記入力装置を制御するＣＰＵ（中央処理装置）（図示せず），上記入力領域における入力情報および消去情報を出力する出力モジュール（図示せず），それら情報を記憶する記憶手段（メモリ）（図示せず），上記発光素子４やＣＰＵ等の電源となる電池（図示せず）等を搭載している。
【００１６】
そして、上記ＣＰＵには、上記受光素子５での受光強度の減衰から、入力領域における押圧個所を入力情報として特定する入力情報特定プログラムが組み込まれているとともに、上記消去モードボタン６を押すと、その後に押圧する上記入力領域の個所に対応する入力済み情報を消去情報として認識して消去する消去プログラムが組み込まれている。すなわち、上記入力装置は、消去指令を出すための上記消去モードボタン６と、その消去指令により実行される上記消去プログラムとからなる情報消去システム（情報消去手段）を備えている。
【００１７】
また、この実施の形態では、上記シート状の光導波路Ｗは、図１（ｂ）に断面図で示すように、シート状のアンダークラッド層１の表面部分に、格子状のコア２が埋設されて、上記アンダークラッド層１の表面とコア２の頂面とが面一に形成され、それらアンダークラッド層１の表面とコア２の頂面とを被覆した状態で、シート状のオーバークラッド層３が形成されたものとなっている。このような構造の光導波路Ｗは、オーバークラッド層３を均一厚みにすることができることから、上記入力領域における、筆記具の先端部による押圧個所を検知し易くなっている。また、上記のような構造の光導波路Ｗの場合、各層の厚みは、例えば、アンダークラッド層１が１０〜５００μｍの範囲内、コア２が５〜１００μｍの範囲内、オーバークラッド層３が１〜２００μｍの範囲内に設定される。
【００１８】
つぎに、上記入力装置を用いた入力方法の一例について説明する。
【００１９】
上記入力装置は、入力領域が押圧されていない状態（入力されていない状態）では、上記受光素子５における、上記各コア２からの受光強度は、通常、図２（ａ）にグラフで示すように、上記受光側の横辺部（Ｘ軸）と縦辺部（Ｙ軸）とが略一定の強さを示している。ここで、各コア２は、その並列順に、受光素子５の受光部の各画素に接続されている。
【００２０】
この状態で、上記入力領域に、例えば筆記具で文字等を入力すると、その筆記具の先端部により、上記入力領域が押圧される。その押圧個所では、光導波路Ｗが変形し、その変形により、押圧個所のコア２の光伝播量が低下する。そのため、図２（ｂ）に示すように、上記押圧個所を通るコア２からの、上記受光素子５での受光強度が減衰する。この受光強度の減衰率（受光強度が減衰する割合）が、予め設定していた所定の設定値Ａを超えると、上記ＣＰＵの入力情報特定プログラムにより、上記押圧個所（座標）が、入力情報として特定され入力される。
【００２１】
そして、上記筆記具による押圧が解除される（入力が終了する）と、上記アンダークラッド層１，コア２およびオーバークラッド層３は、各自の復元力により、元の状態〔図１（ｂ）参照〕に戻る。
【００２２】
つぎに、上記のようにして入力した情報の消去方法の一例について説明する。
【００２３】
入力済み情報の少なくとも一部を消去する場合は、まず、上記入力装置に備えている前記消去モードボタン６を押し、消去モードにする。その後、上記入力領域での入力部分を、消しゴムで擦ると、その擦った部分が押圧される。この押圧個所（座標）は、上記入力と同様に、上記受光素子５での受光強度が減衰することにより特定されるが、上記消去モードボタン６を押した後であるため、前記消去プログラムが実行され、上記押圧個所に対応する入力済み情報を、消去情報として認識して消去する。
【００２４】
ここで、上記減衰率の設定値Ａは、１５〜５０％の範囲内であることが好ましい。減衰率の設定値Ａを１５％未満に設定すると、上記入力装置を押さえる指先等による、入力に意図しない僅かな押圧でも、上記設定値Ａを超える傾向にあり、その押圧を検知するおそれがある。減衰率の設定値Ａを５０％を超える値に設定すると、筆記具や消しゴムで強く押圧しても、上記設定値Ａに達し難くなる傾向にあり、その押圧を検知できないおそれがある。すなわち、減衰率の設定値Ａが上記範囲から外れると、情報を適正に入力したり消去したりできないおそれがある。
【００２５】
このようにして、上記入力装置は、情報の入力だけでなく、その入力済み情報の少なくとも一部を消去することができる。この場合のフローチャートの一例を示すと、図３のようになっている。
【００２６】
なお、上記消去作業を止める（消去モードを解除する）際は、例えば、再度、上記消去モードボタン６を押し、消去モードを解除する。その後は、上記と同様にして、文字等を入力することができる。この場合、消去モードボタン６を再度押すと入力可能状態（入力モード）になるプログラムが、前記ＣＰＵに組み込まれている。
【００２７】
また、上記入力装置は、ディスプレイに有線または無線で接続し、そのディスプレイに、上記入力情報および消去情報を出力して表示するようにして用いることが好ましい。上記ディスプレイとしては、例えば、液晶ディスプレイ，有機ＥＬディスプレイ等があげられ、それらディスプレイは、ノート型パーソナルコンピュータ，タブレット型端末，スマートフォン等のコンピュータが備えるディスプレイでもよい。なお、上記のように、入力装置をコンピュータに有線で接続して使用する場合は、入力装置に要する電源を、上記コンピュータから供給できるため、入力装置の回路基板Ｅに電源を搭載しなくてもよい。
【００２８】
さらに、上記ディスプレイに資料等の情報を表示し、その状態で、上記のように、上記入力装置の入力領域で、上記文字等の情報を入力したり消去したりしてもよい。これにより、上記ディスプレイには、上記資料等の情報に、上記入力装置で入力したり消去したりした文字等の情報が重ね合わさった状態で表示される。そして、その表示された内容を、上記コンピュータ内のハードディスクや外部のＵＳＢメモリ等の情報記憶媒体に記憶してもよい。
【００２９】
つぎに、上記光導波路Ｗの製法について説明する。上記光導波路Ｗを構成するアンダークラッド層１，コア２およびオーバークラッド層３の形成材料としては、感光性樹脂，熱硬化性樹脂等があげられ、その形成材料に応じた製法により、光導波路Ｗを作製することができる。すなわち、まず、図４（ａ）に示すように、オーバークラッド層３を均一厚みのシート状に形成する。ついで、図４（ｂ）に示すように、そのオーバークラッド層３の上面に、コア２を、突出した状態で所定パターンに形成する。つぎに、図４（ｃ）に示すように、そのコア２を被覆するように、上記オーバークラッド層３の上面に、アンダークラッド層１を形成する。そして、図４（ｄ）に示すように、その得られた構造体を上下逆にし、アンダークラッド層１を下側、オーバークラッド層３を上側にする。このようにして、上記光導波路Ｗが得られる。なお、コア２の屈折率は、アンダークラッド層１およびオーバークラッド層３の屈折率よりも大きく設定されている。そして、上記屈折率の調整は、例えば、各形成材料の種類の選択や組成比率を調整して行うことができる。
【００３０】
つぎに、本発明の入力装置の他の実施の形態について説明する。この実施の形態の入力装置は、図１（ａ），（ｂ）に示す上記実施の形態において、入力済み情報の少なくとも一部を消去する際に、消去モードボタン６を押すと、図５にグラフで示すように、押圧個所を特定する基準となる減衰率の設定値を低下させ（図５において設定値をＡからＢにし）、それにより、押圧の圧力が低くてもその押圧個所（座標）を特定できるようにしている。すなわち、例えば、上記消去のための押圧に、先端部が、筆記具よりも太い消しゴムを用いると、その太さから、同じ荷重で押圧しても、圧力が低くなり、光導波路Ｗの変形量が少なくなる。そのため、受光素子５での受光強度が、押圧を検知できる程度まで減衰しないおそれがある。しかし、たとえそうなったとしても、この実施の形態では、上記のように、押圧個所を特定する基準となる減衰率の設定値を低下させることにより、その押圧個所を適正に特定することができるようにし、その押圧個所に対応する入力済み情報を消去することができるようにしている。それ以外の部分は、図１（ａ），（ｂ）に示す上記実施の形態と同様である。この場合のフローチャートの一例を示すと、図６のようになっている。
【００３１】
この実施の形態では、上記消しゴムを用いて上記入力領域を押圧する際に、その押圧個所をより適正に特定できるようにする観点から、上記低下させた設定値Ｂは、元の設定値Ａの３０〜７０％の範囲内とすることが好ましい。元の設定値Ａの３０％未満であると、上記入力装置を押さえる指先等による僅かな押圧でも、上記設定値Ｂを超え易くなり、意図せず情報が消去されるおそれがある。元の設定値Ａの７０％を超えると、先端部が太い消しゴムによる通常の押圧では、上記設定値Ｂに達し難くなる傾向にあり、情報を適正に消去できないおそれがある。
【００３２】
なお、上記各実施の形態では、入力済み情報を消去する際に、消去指令を出すためのものとして、消去モードボタン６を設けたが、消去指令を出せれば、他でもよく、例えば、タッチセンサ，入力モードと消去モードを切り換える切り換えスイッチ等でもよい。
【００３３】
また、上記各実施の形態では、入力領域への入力に筆記具を用いたが、その筆記具は、上記のように光導波路Ｗの入力領域での押圧を検知できればよく、上記筆記具に代えて、インク等が出ない単なる棒体等を用いてもよい。また、入力した情報の消去に用いた消しゴムについても同様に、光導波路Ｗの入力領域での押圧を検知できればよく、上記消しゴムに代えて、人の指先，棒体，入力に用いた筆記具等を用いてもよい。
【００３４】
そして、上記各実施の形態において、光導波路Ｗの断面構造は、図１（ｂ）に示すものとしたが、他でもよく、例えば、図７に断面図で示すように、均一厚みのシート状のアンダークラッド層１の表面に、コア２が突出した状態で所定パターンに形成され、そのコア２を被覆した状態で、上記アンダークラッド層１の表面に、オーバークラッド層３が形成された構造のものとしてもよい。
【００３５】
さらに、上記各実施の形態において、上記アンダークラッド層１の下面に、必要に応じて、ゴム層等の弾性層を設けてもよい。この場合、アンダークラッド層１，コア２およびオーバークラッド層３の復元力が弱くなったり、それらが元々復元力の弱い材料からなるものであったりしても、上記弾性層の弾性力を利用して、上記弱い復元力を補助し、押圧部分の押圧が解除された後、元の状態に戻すことができる。
【００３６】
また、上記各実施の形態において、格子状のコア２の各交差部は、通常、図８（ａ）に拡大平面図で示すように、交差する４方向の全てが連続した状態に形成されているが、他でもよい。例えば、図８（ｂ）に示すように、交差する１方向のみが、隙間Ｇにより分断され、不連続になっているものでもよい。上記隙間Ｇは、アンダークラッド層１またはオーバークラッド層３の形成材料で形成されている。その隙間Ｇの幅ｄは、０（零）を超え（隙間Ｇが形成されていればよく）、通常、２０μｍ以下に設定される。それと同様に、図８（ｃ），（ｄ）に示すように、交差する２方向〔図８（ｃ）は対向する２方向、図８（ｄ）は隣り合う２方向〕が不連続になっているものでもよいし、図８（ｅ）に示すように、交差する３方向が不連続になっているものでもよいし、図８（ｆ）に示すように、交差する４方向の全てが不連続になっているものでもよい。さらに、図８（ａ）〜（ｆ）に示す上記交差部のうちの２種類以上の交差部を備えた格子状としてもよい。すなわち、本発明において、複数の線状のコア２により形成される「格子状」とは、一部ないし全部の交差部が上記のように形成されているものを含む意味である。
【００３７】
なかでも、図８（ｂ）〜（ｆ）に示すように、交差する少なくとも１方向を不連続とすると、光の交差損失を低減させることができる。すなわち、図９（ａ）に示すように、交差する４方向の全てが連続した交差部では、その交差する１方向〔図９（ａ）では上方向〕に注目すると、交差部に入射する光の一部は、その光が進んできたコア２と直交するコア２の壁面２ａに到達し、その壁面での反射角度が大きいことから、コア２を透過する〔図９（ａ）の二点鎖線の矢印参照〕。このような光の透過が、交差する上記と反対側の方向〔図９（ａ）では下方向〕でも発生する。これに対し、図９（ｂ）に示すように、交差する１方向〔図９（ｂ）では上方向〕が隙間Ｇにより不連続になっていると、上記隙間Ｇとコア２との界面が形成され、図９（ａ）においてコア２を透過する光の一部は、上記界面での反射角度が小さくなることから、透過することなく、その界面で反射し、コア２を進み続ける〔図９（ｂ）の二点鎖線の矢印参照〕。このことから、先に述べたように、交差する少なくとも１方向を不連続とすると、光の交差損失を低減させることができるのである。その結果、筆記具等の先端部による押圧個所の検知感度を高めることができる。
【００３８】
つぎに、実施例について説明する。但し、本発明は、実施例に限定されるわけではない。
【実施例】
【００３９】
〔アンダークラッド層およびオーバークラッド層の形成材料〕
成分ａ：エポキシ樹脂（三菱化学社製、ＹＬ７４１０）７５重量部。
成分ｂ：エポキシ樹脂（三菱化学社製、ＪＥＲ１００７）２５重量部。
成分ｃ：光酸発生剤（サンアプロ社製、ＣＰＩ１０１Ａ）２重量部。
これら成分ａ〜ｃを混合することにより、アンダークラッド層およびオーバークラッド層の形成材料を調製した。
【００４０】
〔コアの形成材料〕
成分ｄ：エポキシ樹脂（ダイセル社製、ＥＨＰＥ３１５０）７５重量部。
成分ｅ：エポキシ樹脂（東都化成社製、ＫＩ−３０００−４）２５重量部。
成分ｆ：光酸発生剤（ＡＤＥＫＡ社製、ＳＰ１７０）１重量部。
成分ｇ：乳酸エチル（和光純薬工業社製、溶剤）５０重量部。
これら成分ｄ〜ｇを混合することにより、コアの形成材料を調製した。
【００４１】
〔光導波路の作製〕
まず、ガラス製基材の表面に、上記オーバークラッド層の形成材料を用いて、スピンコート法により、オーバークラッド層を形成した。このオーバークラッド層の厚みは２５μｍ、弾性率は３ＭＰａであった。なお、弾性率の測定は、粘弾性測定装置（TA instruments Japan Inc. 社製、ＲＳＡ３）を用いた。
【００４２】
ついで、上記オーバークラッド層の表面に、上記コアの形成材料を用いて、フォトリソグラフィ法により、格子状のコアを形成した。このコアの幅は３０μｍ、厚みは５０μｍ、弾性率は２ＧＰａであった。
【００４３】
つぎに、上記コアを被覆するように、上記オーバークラッド層の上面に、上記アンダークラッド層の形成材料を用いて、スピンコート法により、アンダークラッド層を形成した。このアンダークラッド層の厚みは３００μｍ、弾性率は３ＭＰａであった。
【００４４】
そして、上記オーバークラッド層を上記ガラス製基材から剥離した。ついで、接着剤を介して、アルミニウム板の表面に、上記アンダークラッド層を接着した。このようにして、アルミニウム板の表面に、接着剤を介して、光導波路〔図１（ｂ）参照〕を作製した。
【００４５】
〔実施例１〕
〔入力装置の作製〕
消去モードボタン，発光素子（Optowell社製、XH85-S0603-2s ），受光素子（浜松ホトニクス社製、s10226），入力装置を制御するＣＰＵ（マイクロチップ社製、dsPIC33FJ128MC706 ），無線出力モジュール，メモリ，リチウムイオン電池（３．７Ｖ）等を搭載した回路基板を作製した。そして、上記発光素子を、上記光導波路のコアの一端面に接続し、上記受光素子を、コアの他端面に接続した。そして、図３のフローチャートに示すプログラムを、上記ＣＰＵに組み込んだ。このようにして、実施例１の入力装置を作製した。
【００４６】
〔入力装置の作動確認〕
パーソナルコンピュータ（以下「パソコン」という）を準備した。そのパソコンには、上記入力装置の入力領域の座標を、上記パソコンのディスプレイの画面の座標に変換し、入力装置で入力した文字等を上記ディスプレイに表示するソフトウェア（プログラム）が、組み込まれている。そして、押圧個所を特定する基準となる減衰率の設定値を３０％とした。また、上記パソコンは、上記入力装置の無線出力モジュールからの電波（情報）を受信できるよう受信手段を備えており、上記パソコンと入力装置とを、無線で情報伝達可能に接続した。
【００４７】
そして、上記入力装置の入力領域に、ペン（先端部の幅１ｍｍ）で文字を書いた。その結果、その文字が、上記ディスプレイに表示された。つぎに、上記消去モードボタンを押した後、上記入力領域での入力部分を、消しゴム（先端部の幅５ｍｍ）で擦った。その結果、上記ディスプレイにおいて、上記擦った部分に対応する入力済みの上記文字の部分が消えた。
【００４８】
上記実施例１において、押圧個所を特定する基準となる減衰率の設定値を１５％，５０％に変えても、上記実施例１と同様の結果が得られた。
【００４９】
〔実施例２〕
上記実施例１において、消去モードボタンを押すと、押圧個所を特定する基準となる減衰率の設定値が、元の設定値の５０％となるようにした。すなわち、低下させた上記減衰率の設定値を１５％とした。それ以外の部分は、上記実施例１と同様とした。
【００５０】
この実施例２でも、上記実施例１と同様に、文字の入力および消去ができた。しかも、この実施例２では、消しゴムによる押圧が上記実施例１よりも弱くても、入力済み情報を消去することができた。
【００５１】
上記実施例２において、押圧個所を特定する基準となる減衰率の設定値を、元の設定値の３０％，７０％（低下させた上記減衰率の設定値を９％，２１％）に変えても、上記実施例２と同様の結果が得られた。
【００５２】
また、上記実施例１，２では、光導波路を図１（ｂ）に断面図で示すものとしたが、光導波路を図７に断面図で示すものとしても、上記実施例１，２と同様の傾向を示す評価結果が得られた。
【産業上の利用可能性】
【００５３】
本発明の入力装置は、文字等の情報を入力するだけでなく、その入力済み情報の少なくとも一部を消去することに利用可能である。
【符号の説明】
【００５４】
Ｗ  光導波路
１  アンダークラッド層
２  コア
３  オーバークラッド層
４  発光素子
５  受光素子
６  消去モードボタン
【図１】
2015135655.tif 000003
【図２】
2015135655.tif 000004
【図３】
2015135655.tif 000005
【図４】
2015135655.tif 000006
【図５】
2015135655.tif 000007
【図６】
2015135655.tif 000008
【図７】
2015135655.tif 000009
【図８】
2015135655.tif 000010
【図９】
2015135655.tif 000011